(57)【要約】【課題】 照明光源と投光プリズムとがペンタプリズムの前方や上方に配置されると、その近傍に内蔵ストロボ装置を配置するためにカメラ全体が大型化する。【解決手段】  照明ユニットは、撮影光軸と略直交する面内に配置された複数の光源２０ａ〜２０ｃを有し、反射ミラー１０の昇降動作領域とカメラ本体に形成されたフィルムカートリッジ装填室４ａおよびフィルム巻上げ室４ｃのうち一方との間の空間であって、撮影レンズが装着されるマウント３の背面側に配置されており、照明ユニットからの照明光を反射位置に位置する反射ミラーで反射させてファインダー内指標を照明する。【選択図】 図２
2004206139.tif 000002
【特許請求の範囲】
【請求項１】
撮影光束を反射させてファインダー光学系に導く反射位置と撮影光路外に退避する撮影位置との間で昇降動作する反射ミラーと、前記ファインダー光学系内の焦点板に形成されたファインダー内指標を照明して撮影光束により形成されるファインダー像に対して重畳表示させる照明ユニットと、前記ファインダー光学系に対してカメラ前方に配置されたストロボ装置とを有し、
前記照明ユニットは、撮影光軸と略直交する面内に配置された複数の光源を有し、前記反射ミラーの昇降動作領域とカメラ本体に形成されたフィルムカートリッジ装填室およびフィルム巻上げ室のうち一方との間の空間であって、撮影レンズが装着されるマウントの背面側に配置されており、
前記照明ユニットからの照明光を前記反射位置に位置する前記反射ミラーで反射させて前記ファインダー内指標を照明することを特徴とするカメラ。
【請求項２】
前記空間に、前記照明ユニットを駆動する電気回路ユニットが撮影光軸と略平行の方向に配置されていることを特徴とする請求項１に記載のカメラ。
【請求項３】
前記反射ミラーの昇降動作領域とカメラ本体に形成されたフィルムカートリッジ装填室およびフィルム巻上げ室のうち他方との間の空間に、前記反射ミラーを昇降駆動するミラー駆動機構が配置されていることを特徴とする請求項１又は２に記載のカメラ。
【発明の詳細な説明】
【技術分野】
【０００１】
本発明は、ファインダー像に各種指標を重畳表示する機能を有したカメラに関し、特に撮影光束を反射させてファインダー光学系に導く反射位置と撮影光路外に退避する撮影位置との間で昇降動作する反射ミラーを備えた一眼レフカメラに関するものである。
【背景技術】
【０００２】
撮影画面上にて設定された測光領域や焦点検出領域といった指標をファインダー画面内の被写体像に対して重畳表示させる一眼レフカメラがいくつか提案されている。
【０００３】
このうち、ペンタプリズムの前方に照明光源となる発光素子と投光プリズムとを配置し、ペンタプリズムの前方とミラーボックスとの隙間から反射ミラーを介して焦点板を照明することにより、所望の指標をファインダー内被写体像に対して重畳表示する方式（以下、第１の方式という）がある（例えば、特許文献１参照）。
【０００４】
また、ペンタプリズムの上方に照明光源となる発光素子と投光プリズムとを配置し、一度ペンタプリズムの内部に入射させた照明光をペンタプリズム下部から射出させ、焦点板に近接配置された表示用の反射板を照射し、この反射板で反射した光を再度ペンタプリズムに導き入れることにより所望の指標をファインダー内被写体像に重畳表示する方式（以下、第２の方式）がある（例えば、特許文献２参照）。
【０００５】
さらに、ファインダー光路中の接眼レンズもしくは焦点板の上方に配置されているコンデンサーレンズに光分割手段を設け、この光分割手段を介して所望の表示をファインダー内被写体像に重畳表示する方式（以下、第３の方式という）がある（例えば、特許文献３参照）。この第３の方式によれば、照明光源となる発光素子と投光光学系は、接眼レンズの上方もしくはペンタプリズムの上方に配置される。また、この第３の方式に用いられる光分割手段は非常に高価なものである。
【特許文献１】特開平３−２３０１３９号公報
【特許文献２】特開平８−０４３９１３号公報
【特許文献３】特開平９−２３６８５８号公報
【発明の開示】
【発明が解決しようとする課題】
【０００６】
しかしながら、上記第１から第３の方式では、照明光源と投光プリズムとがペンタプリズムの前方や上方若しくは接眼レンズの上方に配置されるため、カメラ本体に内蔵されるストロボ装置をこの近傍に配置する場合、配置場所が競合して互いに邪魔になってしまう。このため、照明光源や投光プリズムとストロボ装置とを共存させようとすると、必然的にカメラ全体が大型化してしまう。
【０００７】
また、第１の方式では、投光プリズムが焦点板よりも下方に位置するため、クイックリターンする反射ミラーの昇降動作の妨げになってしまう。 
【０００８】
また、第２の方式では、ペンタプリズムの中を照明光を二度通すことになるので、ゴーストが発生し易い。更に、第２の方式や第３の方式では、表示用の反射板若しくは高価な光分割手段を用いているため、カメラのコストアップにつながるという問題がある。
【０００９】
そこで、本発明は、ファインダー内指標を照明する照明ユニットを、クイックリターンする反射ミラーの昇降動作の妨げにならず、また内蔵ストロボ装置とも競合せずに配置でき、コンパクトで且つ安価なカメラを提供することを目的とする。
【課題を解決するための手段】
【００１０】
本発明は、撮影光束を反射させてファインダー光学系に導く反射位置と撮影光路外に退避する撮影位置との間で昇降動作する反射ミラーと、前記ファインダー光学系内の焦点板に形成されたファインダー内指標を照明して撮影光束により形成されるファインダー像に対して重畳表示させる照明ユニットと、前記ファインダー光学系に対してカメラ前方に配置されたストロボ装置とを有し、前記照明ユニットは、撮影光軸と略直交する面内に配置された複数の光源を有し、前記反射ミラーの昇降動作領域とカメラ本体に形成されたフィルムカートリッジ装填室およびフィルム巻上げ室のうち一方との間の空間であって、撮影レンズが装着されるマウントの背面側に配置されており、前記照明ユニットからの照明光を前記反射位置に位置する前記反射ミラーで反射させて前記ファインダー内指標を照明することを特徴とする。
【００１１】
具体的には、例えば、照明ユニットを、反射ミラーを収容するミラーボックス側壁の外側からこの側壁に形成された開口部を通じて反射ミラーに照明光を照射するように構成する。
【発明の効果】
【００１２】
本発明によれば、照明ユニットを、反射ミラーの昇降動作を妨げないように、かつファインダー光学系に対してカメラ前方に配置されるストロボ装置との競合を避けて配置することが可能となり、カメラ全体のコンパクト化を図ることができる。しかも、ファインダー光学系にペンタプリズムが用いられている場合でも、このペンタプリズム内を一度しか通さないため、ゴーストが発生しにくい。さらに、高価な光学部品を用いずに済むため、カメラのコスト低減を図ることが可能である。
【００１３】
また、照明ユニットを、本来デッドスペースとなる、反射ミラーの昇降動作領域（又はミラーボックスの側壁）とカメラ本体に形成されたフィルムカートリッジ装填室又はフィルム巻上げ室との間の空間に配置することにより、カメラ内のスペース効率を高め、カメラのよりコンパクト化を図ることが可能となる。
【発明を実施するための最良の形態】
【００１４】
以下、本発明の実施例について説明する。
【実施例１】
【００１５】
図１から図８には、本発明の実施例であるカメラの構成を示している。図１はカメラ内部を側方から見た図、図２はカメラ内部を上方から見た図、図３はミラーボックス周辺を斜め後方から見た斜視図、図４はミラーボックス内を斜め前方から見た斜視図、図５および図６は照明ユニットの構成図、図７および図８は焦点板の説明図である。
【００１６】
図１および図２において、Ｌは撮影レンズであり、１はこの撮影レンズＬが装着されるカメラの外装である。
【００１７】
４は上記外装１により覆われたカメラ本体である。このカメラ本体４における図２中左側の隔壁４ｂは、フィルムカートリッジ５が装填されるカートリッジ室４ａを形成し、同右側の隔壁４ｄは、フィルムカートリッジ５から引き出されたフィルム５ａを巻き上げるための巻上げスプール６が収容されるフィルム巻上げ室４ｃを形成している。
【００１８】
２はカメラ本体４における左右方向ほぼ中央に固定されたミラーボックスである。２ａはミラーボックス２のカートリッジ室４ａ側の側壁であり、２ｂはこの側壁２ａの前部に形成された開口部である。また、２ｄはミラーボックス２のフィルム巻上げ室４ｃ側の側壁であり、２ｃはミラーボックス２の前端部に形成されたマウント取付け面である。
【００１９】
３はミラーボックス２のマウント取付け面２ｃに取り付けられたマウントであり、このマウント３に撮影レンズＬが不図示のバヨネット構造等によって装着される。
【００２０】
７はフィルム巻き上げ用のモータであり、ミラーボックス２のフィルム巻上げ室４ｃ側の側壁２ｄとカメラ本体４におけるフィルム巻上げ室４ｃを形成する隔壁４ｄとの間に配置されている。このモータ７は、不図示の減速機構を介して巻上げスプール６に駆動力を伝達する。８はシャッター装置である。
【００２１】
図１において、９はストロボ装置であり、後述のペンタプリズム１６の前方に配置されている。
【００２２】
このストロボ装置９は、不図示の昇降機構によりカメラ本体４に対してポップアップ／ダウンが可能であり、ストロボ撮影を行うときにはポップアップさせて使用する。
【００２３】
１０はクイックリターン可能なメインミラー（反射ミラー）であり、ミラーボックス２内に収容されている。このメインミラー１０は、ミラーボックス２のフィルム巻上げ室４ｃ側の側壁２ｄとモータ７との間に配置されたミラー駆動機構１２によって、撮影レンズＬとフィルム５ａとを結ぶ撮影光路内に斜設される位置（反射位置）と撮影光路外の上方に待避する位置（撮影位置）との間で昇降動作が可能である。反射位置に位置したメインミラー１０は、撮影レンズＬからの撮影光束の一部を透過させ、残りの光束を上方のファインダー光学系に向けて反射させる。
【００２４】
１１はサブミラーであり、メインミラー１０の背後に配置されている。このサブミラー１１は、メインミラー１０の昇降動作に連動してメインミラー１０に対して折り畳み／展開作動する。
【００２５】
すなわち、ファインダー観察時には、図１中に実線で示したように、メインミラー１０を反射位置に下降させるとともにサブミラー１１を展開させる。一方、フィルム露光時には、同図破線で示したようにメインミラー１０を撮影位置まで上昇させるとともにサブミラー１１を折り畳む。
【００２６】
１３は主要な電気部品が基板実装されたメイン回路ユニット（電気回路ユニット）であり、図２に示すように、ミラーボックス２のカートリッジ室４ａ側の側壁２ａとカメラ本体４におけるカートリッジ室４ａを形成する隔壁４ｂとの間に配置されている。
【００２７】
１４は焦点検出装置であり、図１に示すように、サブミラー１１の下方であってミラーボックス２の下側に配置されている。
【００２８】
１５は焦点板であり、ミラーボックス２内におけるメインミラー１０の昇降動作領域の上方であって、フィルム（フィルム面）５ａと共役な位置に配置されている。この焦点板１５には、図７および図８に示すように、被写体検出領域指標（ファインダー内指標）１５ａ，１５ｂ，１５ｃが微小プリズムの集合体によって形成されている。これら被写体検出領域１５ａ，１５ｂ，１５ｃは、複数の焦点検出領域や測光領域に対応した位置に設けられている。
【００２９】
１６はペンタプリズムであり、１７はペンタプリズム１６の後方に配置された接眼レンズである。なお、焦点板１５、ペンタプリズム１６および接眼レンズ１７により、ファインダー光学系が構成される。
【００３０】
１８はペンタプリズム１６の後方であって接眼レンズ１７の上方に配置された測光レンズであり、１９はペンタプリズム１６および測光レンズ１８を通して被写体輝度を測定するための測光センサである。
【００３１】
２０ａ，２０ｂ，２０ｃはファインダー照明ユニットを構成する発光素子（光源）である。２１は同じくファインダー照明ユニットを構成する投光プリズム（投光光学系）である。このファインダー照明ユニットは、図２および図３に示すように、ミラーボックス２のマウント取付け面２ｃの後背部であって、カートリッジ室４ａ側の側壁２ａ（つまり、メインミラー１０の昇降動作領域の側方となる位置）とカメラ本体４におけるカートリッジ室４ａ側の隔壁４ｂとの間に生ずる隙間内に配置されている。
【００３２】
このように、ファインダー照明ユニットをメインミラー１０の昇降動作領域の側方（かつ、ミラー駆動機構１２の配置側とは反対側）に配置することにより、ファインダー照明ユニットによってメインミラー１０の昇降動作やミラー駆動機構１２の動作を妨げずに、ファインダー光学系の前方にストロボ装置９の配置スペースを容易に作り出すことができる。したがって、カメラ全体のコンパクト化を図ることができる。
【００３３】
また、ファインダー照明ユニットを、本来デッドスペースとなる、ミラーボックス２のカートリッジ室４ａ側の側壁２ａとカメラ本体４のカートリッジ室４ａ側の隔壁４ｂとの空間に配置することにより、カメラ内のスペース効率を高め、カメラのよりコンパクト化を図ることができる。
【００３４】
次に、ファインダー光束と照明光束について説明する。撮影レンズＬを通った撮影光束は、メインミラー１０でその一部が透過し、サブミラー１１で下方へと反射されて焦点検出装置１４へと導かれる。メイン回路ユニット１３は、焦点検出装置１４の出力に基づいて撮影レンズＬの焦点調節駆動を行う。
【００３５】
また、メインミラー１０で上方に反射した撮影光束は、焦点板１５上で被写体像を結像する。焦点板１５上の被写体像は、ペンタプリズム１６を通って接眼レンズ１７へと導かれ、撮影者に観察される。焦点板１５上で結像した被写体像の一部は、測光レンズ１８を通って測光センサ１９上に結像する。これにより、被写体輝度が検出され、この検出輝度に基づいてメイン回路ユニット１３によって不図示の絞りおよびシャッター装置８の制御が行われる。
【００３６】
ファインダー照明ユニットの発光素子２０ａ，２０ｂ，２０ｃから射出された照明光は、図４から図６に示すように、投光プリズム２１に入射し、プリズム内で全反射することにより、光の方向を変え、投光プリズム２１から射出する。
【００３７】
レンズ部２１ｇから射出した照明光は、ミラーボックス２の開口部２ｂを通り、反射位置に位置するメインミラー１０の斜め前方からこのメインミラー１０に入射する。
【００３８】
照明光はメインミラー１０で斜め上方に反射され、焦点板１５の斜め下方から、すなわち撮影光束とは異なる角度で焦点板１５に入射し、焦点板上１５の被写体検出領域指標１５ａ，１５ｂ，１５ｃの周辺を照明する。
【００３９】
発光素子２０ａ，２０ｂ，２０ｃはそれぞれ、被写体検出領域指標１５ａ，１５ｂ，１５ｃに対応した照明光源として設けられている。被写体検出領域指標１５ａ，１５ｂ，１５ｃに照射された照明光は、それぞれの被写体検出領域指標を構成する微小プリズムの集合体によって屈折作用を受けながら透過し、ほぼ垂直上方に進む光束となってペンタプリズム１６を通り、接眼レンズ１７さらには撮影者の眼に導かれる。
【００４０】
被写体検出領域指標１５ａ，１５ｂ，１５ｃを照明する照明光は、上述したように撮影光束とは異なる角度で焦点板１５に入射するため、照明光のうち微小プリズムの集合体を通過しない光束は、接眼レンズ１７に到達せず、撮影者には観察されない。このため、微小プリズムが形成された部位のみが撮影者には光って見えることになる。なお、照明光のうち微小プリズムの集合体を通過しない光束は、ペンタプリズム１６の墨塗り面１６ａに到達して吸収される。
【００４１】
次に、図５および図６を用いて、ファインダー照明ユニットの詳細な構成について説明する。図５はカメラ背面側から見たファインダー照明ユニットの図であり、図６はカメラ上面から見たファインダー照明ユニットの図である。
【００４２】
３つの発光素子２０ａ，２０ｂ，２０ｃは樹脂一体型に構成されている。また、投光プリズム２１は、発光素子２０ａ，２０ｂ，２０ｃのそれぞれに対応した入射面２１ａ，２１ｂ，２１ｃを有するとともに、内面反射面２１ｄ，２１ｅ，２１ｆを有し、全体として鈍角に屈曲した形状を有する。また、投光プリズム２１の射出面２１ｇには、焦点板１５に対して結像光学系とするためにフレネルレンズが形成されている。
【００４３】
なお、発光素子２０ａ，２０ｂ，２０ｃと投光プリズム２１との間にはマスク２２が配置されている。このマスク２２には、発光素子２０ａ，２０ｂ，２０ｃに対応した開口２２ａ，２２ｂ，２２ｃが形成されており、これら開口の像が焦点板１５上に結像されるようになっている。
【００４４】
発光素子２０ａからの射出光は、マスク２２の開口２２ａを通り、投光プリズム２１の入射面２１ａから入射して、反射面２１ｆで全反射し、射出面２１ｇのフレネルレンズを通って射出する。
【００４５】
また、発光素子２０ｂからの射出光は、マスク２２の開口２２ｂを通り、投光プリズム２１の入射面２１ｂから入射して、最初の反射面２１ｄで全反射し、更に反射面２１ｆで再度全反射して、射出面２１ｇのフレネルレンズを通って射出する。
【００４６】
また、発光素子２０ｃからの射出光も同様に、マスク２２の開口２２ｃを通り、投光プリズム２１の入射面２１ｃから入射して、最初の反射面２１ｅで全反射し、更に反射面２１ｆで再度全反射して、射出面２１ｇのフレネルレンズを通って射出する。
【００４７】
次に、図７および図８を用いて、焦点板１５の構成について詳細に説明する。図７はカメラ上面から見た焦点板の図であり、図８は図７に示す焦点板１５の断面図である。
【００４８】
焦点板１５の長辺方向中央における短辺方向３箇所には被写体検出領域指標１５ａ，１５ｂ，１５ｃとして矩形枠状に微小プリズムの集合体が形成されている。
【００４９】
図８に示すＰ１〜Ｐ５は微小プリズムであり、それぞれ楔形の断面形状を有している。また、Ｂ１〜Ｂ５は照明ユニットから焦点板１５に入射した光線のうち、微小プリズムを通過する光線である。
【００５０】
光線Ｂ１〜Ｂ５は微小プリズムから射出する際に屈折作用を受け、ペンタプリズム１６を介して接眼レンズ１７へと導かれる。
【００５１】
微小プリズムを通過しない光線Ｂ６は、入射角度と略同角度で焦点板１５から射出する。このため、光線Ｂ６は接眼レンズ１７には到達しない。
【００５２】
次に、ファインダー照明ユニットにより照明された被写体検出領域指標１５ａ，１５ｂ，１５ｃの被写体像に対する重畳表示について説明する。ここでは例として、被写体検出領域指標１５ａ，１５ｂ，１５ｃを焦点検出領域を表示するものとする場合について説明する。
【００５３】
焦点検出装置１４から被写体の焦点検出情報が出力されると、メイン回路ユニット１３はこの焦点検出情報に基づいて、３つの焦点検出領域の中から最適な焦点検出領域を決定する。そして、メイン回路ユニット１３は、決定された焦点検出領域に対して焦点調節を行うよう、撮影レンズＬを駆動制御する。また、同時に、メイン回路ユニット１３は、３つの発光素子２０ａ，２０ｂ，２０ｃの中から決定された焦点検出領域に対応する発光素子を点灯させる。このとき、メイン回路ユニット１３は、測光センサ１９の測光出力に基づいて発光素子の点灯明るさを制御する。この発光により、被写体検出領域指標１５ａ，１５ｂ，１５ｃのうち上記決定された焦点検出領域に対応する矩形枠状の指標が照明され、ファインダー内の被写体像に重畳して発光表示される。そして、この発光表示された指標を、撮影者が被写体像と重ねて見ることで、被写体のどこに焦点が合うかを明確に知ることができる。
【００５４】
本実施例では、ファインダー照明ユニットから射出された照明光をペンタプリズム１６内を一度しか通さないため、ゴーストが発生しにくい。さらに、本実施例のファインダー照明ユニットは、光分割手段等の高価な光学部品を用いないので、カメラのコスト低減を図ることができる。
【００５５】
なお、本実施例では、焦点板１５上の指標１５ａ，１５ｂ，１５ｃを焦点検出領域に対応する指標として用いる場合について説明したが、測光領域に対応する指標として用いてもよい。
【図面の簡単な説明】
【００５６】
【図１】本発明の実施例１であるカメラの内部を側方から見た図。
【図２】上記カメラの内部を上方から見た図。
【図３】上記カメラにおけるミラーボックス周辺を後方から見た斜視図。
【図４】上記ミラーボックス内を前方から見た斜視図。
【図５】上記カメラにおけるファインダー照明ユニットの構成図。
【図６】上記ファインダー照明ユニットの構成図。
【図７】上記カメラにおける焦点板の上面図。
【図８】上記焦点板の断面図。
【符号の説明】
【００５７】
Ｌ 撮影レンズ
１ カメラ外装
２ ミラーボックス
３ マウント
４ カメラ本体
４ａ カートリッジ室
４ｃ フィルム巻上げ室
５ フィルムカートリッジ
５ａ フィルム
７ モータ
８ シャッタ装置
９ ストロボ装置
１０ メインミラー
１１ サブミラー
１２ ミラー駆動機構
１３ メイン回路ユニット
１４ 焦点検出装置
１５ 焦点板
１５ａ，１５ｂ，１５ｃ 被写体検出領域指標
１６ ペンタプリズム
１７ 接眼レンズ
１８ 測光レンズ
１９ 測光センサ
２０ａ，２０ｂ，２０ｃ 発光素子
２１ 投光プリズム
【図１】
2004206139.tif 000003
【図２】
2004206139.tif 000004
【図３】
2004206139.tif 000005
【図４】
2004206139.tif 000006
【図５】
2004206139.tif 000007
【図６】
2004206139.tif 000008
【図７】
2004206139.tif 000009
【図８】
2004206139.tif 000010